(57)【要約】【課題】  留守録する場合において、確実にメッセージが入力された場合のみ録音を保存して録音部の有効使用を可能とする。【解決手段】  録音設定された居室親機は、玄関子機から呼び出しがあったら録音を開始（Ｓ１）し、タイマの計時をスタート（Ｓ２）する。その後、１５秒が経過したら録音を終了（Ｓ４）し、この間、玄関子機から音声が伝送されてきたらボイススイッチはアイドルモードから受話モードに切り替わって録音が成される。録音が終了したら、ボイススイッチが受話モードに滞在した時間、即ち来訪者の話したメッセージの時間を計測し、２秒を超えてメッセージが録音されていたら消去せずに保存（Ｓ６）し、２秒以下であったら、録音部に仮に記憶した今回のメッセージは消去（Ｓ７）される。【選択図】  図３
2007174094.tif 000002
【特許請求の範囲】
【請求項１】
玄関に設置されて居住者を呼び出すための玄関子機と、住戸内に設置されて前記玄関子機からの呼び出しに応答するための居室親機とを有するインターホン装置において、
前記居室親機は、留守時等に来訪者からのメッセージを録音するための録音設定部と、前記来訪者からのメッセージを録音する録音部と、前記玄関子機から送出された音声を検出する受話音検出手段と、録音設定状態で前記玄関子機から呼び出しが成されたら所定時間録音モードに移行して前記録音部にメッセージを録音する録音制御手段とを有し、
前記録音制御手段は、録音モード中に前記受話音検出手段の受話音検出時間が特定時間を超えたら、前記録音部に録音させたメッセージを保存し、特定時間を超えない場合は録音させたメッセージを消去する制御を行うことを特徴とするインターホン装置。
【請求項２】
前記録音制御手段は、録音設定状態時に前記玄関子機から呼び出しを受信したら、前記玄関子機からメッセージの録音を開始する案内放送を送出する制御を行うことを特徴とする請求項１記載のインターホン装置。
【請求項３】
集合玄関に設置して居住者を呼び出すための集合玄関機と、各住戸に設置されて前記集合玄関機からの呼び出しに応答するための居室親機と、通話路を制御する制御機とを有する集合住宅インターホンシステムにおいて、
前記居室親機は、留守時等に来訪者からのメッセージを録音するための録音設定部と、前記来訪者からのメッセージを録音する録音部と、前記集合玄関機から伝送された音声を検出する受話音検出手段と、録音設定状態で前記集合玄関機からの呼び出しが成されたら、前記集合玄関機との間の通話路を形成させる接続信号を前記制御機に送出して通話路を形成させ、所定時間録音モードに移行して前記録音部にメッセージを録音する録音制御手段とを有し、
前記録音制御手段は、録音モード中に前記受話音検出手段の受話音検出時間が特定時間を超えたら前記録音部に録音させたメッセージを保存し、特定時間を超えない場合は録音させたメッセージを消去する制御を行うことを特徴とする集合住宅インターホンシステム。
【請求項４】
前記制御機に、各居室親機で設定された録音設定情報を登録する設定登録部を有することを特徴とする請求項３記載の集合住宅インターホンシステム。
【請求項５】
前記制御機は、前記集合玄関機からメッセージの録音を開始する案内放送を送出するための文言を記憶した音声記憶部を有し、録音設定状態にある居室親機が前記集合玄関機から呼び出しを受けたら、前記音声記憶部から取り出して案内放送を実施することを特徴とする請求項４記載の集合住宅インターホンシステム。
【請求項６】
前記録音制御手段は、録音設定状態時に前記集合玄関機から呼び出しを受けたら、メッセージの録音を開始する案内放送を前記集合玄関機から送出する制御を行うことを特徴とする請求項３記載の集合住宅インターホンシステム。
【発明の詳細な説明】
【技術分野】
【０００１】
本発明は、インターホン装置および集合住宅インターホンシステムに関し、特に留守録機能を備えて来訪者のメッセージを録音可能としたインターホン装置、及び集合住宅インターホンシステムに関する。
【背景技術】
【０００２】
従来より、留守中に来訪者があった場合に、来訪者のメッセージを録音可能とした留守録機能を備えた個別住宅対応のインターホン装置や、集合住宅対応の集合住宅インターホンシステムがある。このようなインターホン装置としては、例えば特許文献１に記載された構成のものがあり、留守録設定にすることで来訪者のメッセージを録音すると共に、来訪者映像を録画するよう構成されている。
【特許文献１】特開２００４−１２０１２９号公報
【発明の開示】
【発明が解決しようとする課題】
【０００３】
しかしながら、従来のインターホン装置および集合住宅インターホンシステムにおいては、居室親機にて録音設定がなされると、来訪者が呼び出しを行ったときに無条件で所定時間（例えば１５秒間）録音を実施する。そのため、留守であることを知った来訪者がメッセージを入れないで帰ってしまう場合には居住者が確認しても無音となってしまう。
通常、録音するメモリ等の録音部は容量があまり大きくなく、２０件程度しか録音できない構成となっているし、メモリの空き領域が無くなるとその後は古いものから順に上書きして新たな録音が成されるようになっている。そのため、来訪者が続いたり、いたずらされて呼出ボタンが押された場合、重要なメッセージが消えてしまったり、メッセージの入っていない無音状態が長く続く虞があった。
【０００４】
そこで、本発明はこのような問題点に鑑み、録音する設定になっている場合において、確実にメッセージが入力され、録音部を有効に使用することができるインターホン装置および集合住宅インターホンシステムを提供することを目的としている。
【課題を解決するための手段】
【０００５】
上記課題を解決する為に、請求項１に記載の発明は、玄関に設置されて居住者を呼び出すための玄関子機と、住戸内に設置されて玄関子機からの呼び出しに応答するための居室親機とを有するインターホン装置において、居室親機は、留守時等に来訪者からのメッセージを録音するための録音設定部と、来訪者からのメッセージを録音する録音部と、玄関子機から送出された音声を検出する受話音検出手段と、録音設定状態で玄関子機から呼び出しが成されたら所定時間録音モードに移行して録音部にメッセージを録音する録音制御手段とを有し、録音制御手段は、録音モード中に受話音検出手段の受話音検出時間が特定時間を超えたら、録音部に録音させたメッセージを保存し、特定時間を超えない場合は録音させたメッセージを消去する制御を行うことを特徴とする。
この構成により、メッセージが無い、或いは特定時間に達しない短時間しか録音されていないメッセージは消去されて保存されない。その結果、内容のあるメッセージが録音された場合のみ保存することが可能となり、録音部を有効に使用することができるし、居住者は何も録音されていないものを時間をかけて聞く必要が無くなる。
【０００６】
請求項２の発明は、請求項１に記載の発明において、録音制御手段は、録音設定状態時に玄関子機から呼び出しを受信したら、玄関子機からメッセージの録音を開始する案内放送を送出する制御を行うことを特徴とする。
この構成により、来訪者にとってメッセージを話すタイミングがわかりやすいので使い勝手がよい。
【０００７】
請求項３の発明は、集合玄関に設置して居住者を呼び出すための集合玄関機と、各住戸に設置されて集合玄関機からの呼び出しに応答するための居室親機と、通話路を制御する制御機とを有する集合住宅インターホンシステムにおいて、居室親機は、留守時等に来訪者からのメッセージを録音するための録音設定部と、来訪者からのメッセージを録音する録音部と、集合玄関機から伝送された音声を検出する受話音検出手段と、録音設定状態で集合玄関機からの呼び出しが成されたら、集合玄関機との間の通話路を形成させる接続信号を制御機に送出して通話路を形成させ、所定時間録音モードに移行して録音部にメッセージを録音する録音制御手段とを有し、録音制御手段は、録音モード中に受話音検出手段の受話音検出時間が特定時間を超えたら録音部に録音させたメッセージを保存し、特定時間を超えない場合は録音させたメッセージを消去する制御を行うことを特徴とする。
この構成により、メッセージが無い、或いは特定時間に達しない短時間に発せられたメッセージは保存されない。その結果、内容のあるメッセージが録音された場合のみ保存することが可能となり、録音部を有効に使用することができるし、居住者は何も録音されていないものを時間をかけて聞く必要が無くなる。
【０００８】
請求項４の発明は、請求項３に記載の発明において、制御機に、各居室親機で設定された録音設定情報を登録する設定登録部を有することを特徴とする。
この構成により、各居室親機の録音設定情報が制御機に登録されるので、設定情報を格納するメモリが１つで済み、コストを削減することができる。
【０００９】
請求項５の発明は、請求項４に記載の発明において、制御機は、集合玄関機からメッセージの録音を開始する案内放送を送出するための文言を記憶した音声記憶部を有し、録音設定状態にある居室親機が集合玄関機から呼び出しを受けたら、音声記憶部から取り出して案内放送を実施することを特徴とする。
この発明により、来訪者にとってメッセージを話すタイミングがわかりやすいので使い勝手がよいし、案内放送を録音した音声ＲＯＭ等の音声記憶部を制御機に備えるので個々の居室親機に備えるよりもコストを削減することができる。
【００１０】
請求項６の発明は、請求項３に記載の発明において、録音制御手段は、録音設定状態時に集合玄関機から呼び出しを受けたら、集合玄関機からメッセージの録音を開始する案内放送を送出する制御を行うことを特徴とする。
この発明により、来訪者にとってメッセージを話すタイミングがわかりやすいので使い勝手がよい。
【発明の効果】
【００１１】
本発明によれば、メッセージが無い、或いは特定時間に達しない短時間に発せられたメッセージは保存されない。その結果、内容のあるメッセージが録音された場合のみ保存することができ、録音部を有効に使用することができるし、居住者は何も録音されていないものを時間をかけて聞く必要が無くなる。
【発明を実施するための最良の形態】
【００１２】
以下、本発明を具体化した実施の形態を、図面に基づいて詳細に説明する。図１は本発明に係るインターホン装置の構成図であり、１は玄関に設置されて居住者を呼び出すための玄関子機、２は住戸内に設置されて呼び出しに応答するための居室親機である。玄関子機１には、呼出ボタン３、マイク４、スピーカ５、来訪者を撮像するカメラ６が設けられ、居室親機２には、呼び出しに対して応答操作する通話ボタン１１、マイク１２、スピーカ１３、カメラ６の撮像映像を映し出すモニタ１４が設けられ、玄関子機１と居室親機２は信号線１５で接続されている。尚、モニタ１４はタッチパネルが取り付けられて各種操作をする操作部１９を兼ねている。
【００１３】
この居室親機２は、図２のブロック図に示すように構成されている。図２において、１７は玄関子機１から変調されて送られてきた映像信号を復調する復調回路等を有する映像処理回路、１８は音声の大きさを判断して送話／受話の切り替えを行うボイススイッチ、２０は操作部の中に設けられている録音設定ボタン（録音設定部）、２１は所定時間を計時するタイマ、２２はメッセージを録音するＥＥＰＲＯＭ等のメモリから成る録音部、２３は映像を保存するＥＥＰＲＯＭ等のメモリから成る録画部、２４は親機ＩＦ（インターフェイス）、２５はＣＰＵで構成される親機制御部であり、ハンズフリー通話が可能に構成されている。
【００１４】
尚、ボイススイッチ１８は、１本の通話路を切り替えるスイッチであり、玄関子機１から送出された音声を検出したら受話設定して玄関子機１から居室親機２へ音声を送出可能とする受話モードに設定し、逆に居室親機２から送出された音声を検出したら送話設定して居室親機２から玄関子機１へ音声を送出可能とする送話モードに設定し、更に音声を検出しない場合は通話路を遮断して車が走る音や風の音を遮断するアイドルモードに設定するバックグランドノイズモニタ機能を備えた公知のスイッチであり、このボイススイッチ１８の受話モード動作を利用して受話検出回路として使用している。
【００１５】
このように構成されたインターホン装置の動作を以下説明する。但し、玄関子機１からの呼び出し、及び居室親機２からの応答操作、更にはカメラ６の撮像、モニタ１４の出画動作等は従来と同様であるし、本発明の要部ではないので省略し、録音設定状態の動作を説明する。
【００１６】
居室親機２の録音設定ボタン２０が居住者等により操作されると、居室親機２は録音設定状態になる。この状態で来訪者が玄関子機１の呼出ボタン３を操作すると、呼出信号が信号線１５を介して居室親機２に伝送される。居室親機２では親機ＩＦ２４を介して録音制御手段としの親機制御部２５で検出され、親機制御部２５はスピーカ１３から呼出音を放音させると共に、現在録音設定がされていることを認識して内蔵する音声ＲＯＭ（図示せず）からメッセージの録音を開始することを通知する案内放送を玄関子機１に出力する。
【００１７】
玄関子機１では、居室親機２の呼出動作に合わせて呼出確認音がスピーカ５から出力され、その後伝送されてきた案内放送、例えば「ただいま応答できません。メッセージのある方は１５秒以内でご用件をお話ください」がスピーカ５から出力される。この案内放送により、メッセージを残したい来訪者はメッセージの録音を始めることができる。一方、親機制御部２５は、案内放送を送信したら録音部２２を能動として録音を開始すると共に、タイマ２１をスタートして１５秒（所定時間）を計時する。
【００１８】
そして、来訪者のメッセージがマイク４を介して入力されたら、親機ＩＦ２４、ボイススイッチ１８を介して録音部２２に録音される。その後、親機制御部２５はタイマ２１が１５秒の計時を終了したことを検出すると、自動的に待ち受け状態に移行させて通話路を遮断する制御を行う。このとき、玄関子機１に対して「メッセージをお預かりします」の録音終了を通知する音声案内が音声ＲＯＭから取り出されて流れる。
【００１９】
ここで、親機制御部２５の録音動作に関して図３のフローチャートを基に説明する。親機制御部２５は、案内放送を送信したら録音を開始（Ｓ１）し、タイマ２１の計時をスタート（Ｓ２）する。その後、予め設定した１５秒が経過したら録音を終了する（Ｓ４）。この間、玄関子機１から音声が伝送されてきたらボイススイッチ１８はアイドルモードから受話モードに切り替わって録音が成される。
１５秒が経過して録音が終了したら、ボイススイッチ１８が受話モードに滞在した時間、即ち来訪者の話したメッセージの時間を計測（Ｓ５）し、特定時間（例えば２秒）を超えてメッセージが録音されていたら消去せずに録音部２２に保存する制御をする（Ｓ６）。また、受話モードに移行しなかった場合、或いは特定時間を超えて受話モードに滞在しなかった場合には、録音部２２に仮に記憶した今回の内容は自動的に消去する（Ｓ７）。
【００２０】
このように、メッセージが無い、或いは特定時間に達しない短時間しか録音されていないメッセージは消去されて保存されない。その結果、内容のあるメッセージが録音された場合のみ保存することが可能となり、録音部を有効に使用することができるし、居住者は何も録音されていないものを時間をかけて聞く必要が無くなる。
また、録音を開始する案内放送が流れるので、来訪者にとってメッセージを話すタイミングがわかりやすく使い勝手がよいし、録音終了を通知する案内放送が流れるので、来訪者は安心できる。
【００２１】
尚、録音設定状態では玄関子機１のカメラ６で撮像した来訪者の映像は、居室親機２に送信され、映像処理回路１７を介して録画部２３にて録画されることはいうまでもない。また、録音と録画は連動しないで独立して行うことが可能であって、来訪者が音声メッセージを残さなかった場合であっても録画部２３に録画された画像は消去されることはない。
【００２２】
次に、本発明に係る集合住宅インターホンシステムについて、その一例を図４〜図６を基に説明する。図４はシステムの構成図、図５は居室親機のブロック図、図６は制御機のブロック図を示している。図４において、２８は集合玄関に設置されて居住者を呼び出すための集合玄関機、２９は各住戸に設置されて集合玄関機２８の呼び出しに応答するための居室親機、３０は通話路を制御する制御機、３１は管理室に設置される管理室親機であり、集合玄関機２８、各居室親機２９、管理室親機３１は、制御機３０を介して夫々信号線３２ａ〜３２ｃで接続されている。尚、３３は制御機３０と居室親機２９間の通話・映像路を接続する住戸アダプタ３３であり、居室親機２９により制御される（詳述せず）。
【００２３】
集合玄関機２８は、テンキー３４、呼出ボタン３５、マイク３６、スピーカ３７、カメラ３９、表示部４０等を備えている。一方、居室親機２９は図５のブロック図に示すように構成され、４１は集合玄関機２８から変調されて送られてきた映像信号を復調する復調回路等を有する映像処理回路、４２は来訪者映像を出画するモニタ、４３は音声の大きさを判断して送話／受話の切り替えを行うボイススイッチ、４３ａはスピーカ、４３ｂはマイク、４４は各種設定操作を行う操作部、４５は録音設定ボタン（録音設定部）、４６は所定時間を計時するタイマ、４７はメッセージを録音するＥＥＰＲＯＭ等のメモリから成る録音部、４８は映像を保存するＥＥＰＲＯＭ等のメモリから成る録画部、４９は親機ＩＦ（インターフェイス）、５０はＣＰＵで構成される親機制御部であり、ハンズフリー通話を可能としている。尚、操作部４４はモニタ４２に一体に設けられたタッチパネルで構成され、録音設定ボタン４５はその中に設けられている。
【００２４】
制御機３０は、図６のブロック図に示すよう構成され、５５は集合玄関機２８とデータ通信するための第１データＩＦ、５６は居室親機２９及び住戸アダプタ３３とデータ通信するための第２データＩＦ、５７は通話チャンネルを切り換えるチャンネル切替部（ＣＨ切替部）、５８は通話及び通信を制御するためのＣＰＵ、５９は居室親機２９の録音設定状態を登録する設定登録部としてのメモリである。
【００２５】
上記構成の集合住宅インターホンシステムは次のように動作する。但し、集合玄関機２８からの呼び出し、及び居室親機２９からの応答動作、また集合玄関機２８、居室親機２９、管理室親機３１夫々の間の通話、更にはカメラ３９の撮像、モニタ４２の出画動作等は従来と同様であるし、本発明の要部ではないので省略し、録音設定状態の動作を説明する。
【００２６】
居室親機２９の録音設定ボタン４５が居住者等により操作されると、親機制御部５０は居室親機２９を録音設定状態にすると共に、録音設定状態になったことを制御機３０に通知する。制御機３０は、この情報を受けてメモリ５９に録音設定状態になった居室親機２９を登録する。この状態で来訪者が集合玄関機２８のテンキー３４及び呼出ボタン３５を操作して録音設定状態にある居室親機２９を呼び出すと、居室ＩＤが付加された呼出信号が制御機３０を介して居室親機２９に伝送される。
【００２７】
対応するＩＤを有する居室親機２９は、親機ＩＦ４９を介して録音制御手段としての親機制御部５０が呼出信号を検出したら、スピーカ４３ａから呼出音を放音させる。そして、親機制御部５０は住戸アダプタ３３に制御機３０と居室親機２９の間の通話路を形成させ、制御機３０に対して集合玄関機２８と通話路を形成させるための接続信号を送信する。同時に、居室親機２９を録音モードに移行させて録音を開始する制御を行う。
【００２８】
一方、呼出信号を検出した制御機３０は、メモリ５９に登録された録音設定情報から呼出先の居室親機２９の設定状態を読み出し、録音設定状態にあることを認識して、制御機３０に内蔵した音声ＲＯＭ（図示せず）から、メッセージの録音を開始する案内放送を集合玄関機２８に送信する。また、居室親機２９からの接続信号を受けて集合玄関機２８と居室親機２９の間の通話路を形成する。
【００２９】
集合玄関機２８では、居室親機２９の呼出動作に合わせて呼出確認音がスピーカ３７から出力され、その後案内放送、例えば「ただいま応答できません。メッセージのある方は１５秒以内でご用件をお話ください」がスピーカ３７から出力される。この案内放送により、メッセージを残したい来訪者はメッセージの録音を始めることができ、親機制御部５０は、案内放送終了を待ち、録音部４７を能動として録音を開始し、タイマ４６をスタートして１５秒の計時を開始する。
【００３０】
そして、来訪者のメッセージがマイク３６を介して入力されたら、制御機３０、住戸アダプタ３３を介して居室親機２９に送信され、ボイススイッチ４３を介して録音部４７に録音される。その後、タイマ４６が１５秒の計時を終了したことを検出すると、親機制御部５０は自動的に待ち受け状態に移行させる制御を行い、制御機３０に録音終了信号を送信する。制御機３０は、録音終了信号を受けて「メッセージをお預かりします」の音声案内を音声ＲＯＭから取り出して集合玄関機２８から報音させると共に、集合玄関機２８と居室親機２９の通話路を遮断する。
【００３１】
尚、録音に際してボイススイッチ４３の動作は、戸建住宅対応の上記インターホン装置の場合と同様であり、上記図３に示すフローチャートに従い動作するため詳細な説明は省略する。その結果、親機制御部５０は１５秒が経過して録音が終了したら、ボイススイッチ４３が受話モードに滞在した時間、即ち来訪者の話したメッセージの時間を計測し、特定時間（例えば２秒）を超えてメッセージが録音されていたら消去せずに録音部４７に保存する制御をするし、受話モードに移行しなかった場合、或いは特定時間を超えて受話モードに滞在しなかった場合には、録音部４７に仮に記憶した今回の内容は自動的に消去する。
【００３２】
このように、メッセージが無い、或いは特定時間に達しない短時間に発せられたメッセージは保存されない。従って、内容のあるメッセージが録音された場合のみ保存することが可能となり、録音部を有効に使用することができるし、居住者は何も録音されていないものを時間をかけて聞く必要が無くなる。
また、集合玄関機からメッセージの録音を開始する案内放送を送出するので、来訪者にとってメッセージを話すタイミングがわかりやすく、使い勝手がよい。
更に、各居室親機の録音設定情報は制御機に登録されるので、設定情報を格納するメモリが１つで済むし、案内放送の文言が制御機に記憶されているので、個々の居室親機に備える必要が無くなり更にコストを削減することができる。
【００３３】
尚、上記実施形態は、居室親機をハンズフリータイプで説明したが、ハンドセットタイプの居室親機であっても良い。この場合の居室親機は図７のブロック図に示すように構成される。図７において、６１はハンドセットのスピーカ６１ａ及びマイク６１ｂにより通話を可能とするための通話回路、６２は集合玄関機２８から伝送されてくる来訪者音声を検知する受話音検出回路（受話音検出手段）であり、上記図５に示す居室親機と同一の構成要素には同一の符号を付与してある。この受話音検出回路６２は、通話路が集合玄関機２８から音声が伝送される受話状態と成ったら、電圧或いは電流でそれを検出し、その結果を親機制御部５０に通知して受話音声を検知するよう構成されている。これによりハンドセット形態であっても上記同様のメッセージ録音操作を実施できる。
【００３４】
また、上記実形態では録音についての説明をしているが、録音設定状態では集合玄関機２８のカメラ３９で撮像した来訪者の映像は、制御機３０、住戸アダプタ３３を介して居室親機２９に送信され、映像処理回路４１を介して録画部にて録画されることはいうまでもない。また、録音と録画は連動しないで独立して行うことが可能であって、来訪者が音声メッセージを残さなかった場合であっても録画部３０に録画された画像は消去されることはない。
更に、各居室親機２９の録音設定情報を制御機３０が一括して記憶しているが、個々の居室親機２９が自身の情報のみ記憶しても良いし、案内放送の文言も個々の居室親機２９に記憶させても良い。この場合、居室親機２９の制御で制御機３０は通話路の接続／遮断操作が成される。
【図面の簡単な説明】
【００３５】
【図１】本発明に係るインターホン装置の実施形態の一例を示す構成図である。
【図２】図１の居室親機の回路ブロック図である。
【図３】図１の録音設定時の録音動作の流れを示すフローチャートである。
【図４】本発明に係る集合住宅インターホンシステムの実施形態の一例を示す構成図である。
【図５】図４の居室親機の回路ブロック図である。
【図６】図４の制御機の回路ブロック図である。
【図７】図４の居室親機の他の例を示す回路ブロック図である。
【符号の説明】
【００３６】
１・・玄関子機、２・・居室親機、３・・呼出ボタン、１８・・ボイススイッチ（受話音検出手段）、２０・・録音設定ボタン（録音設定部）、２１・・タイマ、２２・・録音部、２５・・親機制御部（録音制御手段）、２８・・集合玄関機、２９・・居室親機、３０・・制御機、３５・・呼出ボタン、４３・・ボイススイッチ（受話音検出手段）、４５・・録音設定ボタン（録音設定部）、４６・・タイマ、４７・・録音部、５０・・親機制御部（録音制御手段）、５８・・ＣＰＵ、５９・・メモリ（設定登録部）、６２・・受話音検出回路。
【図１】
2007174094.tif 000003
【図２】
2007174094.tif 000004
【図３】
2007174094.tif 000005
【図４】
2007174094.tif 000006
【図５】
2007174094.tif 000007
【図６】
2007174094.tif 000008
【図７】
2007174094.tif 000009